(57)【要約】【課題】データプレーンの状態と制御プレーンが認識しているデータプレーンの状態に不整合が生じた場合に、これを迅速に解消する通信装置を得ること。【解決手段】本発明は、パス設定を行うデータ転送部（２１）と、シグナリング情報を取得し、取得したシグナリング情報に基づいてデータ転送部（２１）に指示を行う第１の制御部（２２）と、第１の制御部（２２）が保持しているシグナリング情報のコピーを保持し、障害が発生した場合に処理を引き継ぐ第２の制御部（２３）と、を備え、第２の制御部（２３）は、処理を引き継ぐ際にパスの設定状態を取得し、保持しているパス設定状態と一致していない場合、不一致のパスに対応する隣接ノードに対してシグナリング情報の再送を要求する。【選択図】        図２
2008278250.tif 000002
【特許請求の範囲】
【請求項１】
制御プレーンとデータプレーンが独立したネットワークを構成する通信装置であって、
すべての隣接ノードとの間でデータプレーン上のパス設定を行うパス設定手段と、
各隣接ノードと制御プレーン上で通信を行うことによりシグナリング情報を取得し、当該取得したシグナリング情報に基づいてパスを設定するように、前記パス設定手段に対して指示を行う第１の制御手段と、
前記第１の制御手段と同じ機能を有し、さらに当該第１の制御手段が保持しているシグナリング情報のコピーを保持し、当該第１の制御手段で障害が発生した場合に、当該第１の制御手段から処理を引き継ぐ第２の制御手段と、
を備え、
前記第２の制御手段は、前記第１の制御手段から処理を引き継ぐ際に、前記パス設定手段からパスの設定状態を取得し、当該取得した各隣接ノードとの間のパス設定状態と、保持しているシグナリング情報により特定される各隣接ノードとの間のパス設定状態と、が一致していない場合、不一致のパスに対応する隣接ノードに対してシグナリング情報の再送を要求し、当該要求に対する応答メッセージに基づいてシグナリング情報を更新することを特徴とする通信装置。
【請求項２】
前記第２の制御手段が前記第１の制御手段から処理を引き継ぐ際にパス設定状態の不一致を検出し、不一致のパスが複数存在する場合、
前記第２の制御手段は、データプレーンリンク毎に予め設定された優先度順に、前記不一致パスに対応する隣接ノードに対してシグナリング情報の再送を要求し、当該要求に対する応答メッセージに基づいてシグナリング情報を更新することを特徴とする請求項１に記載の通信装置。
【請求項３】
前記第２の制御手段が前記第１の制御手段から処理を引き継ぐ際にパス設定状態の不一致を検出し、不一致のパスが複数存在する場合、
前記第２の制御手段は、隣接ノード毎に予め設定された優先度順に、前記不一致パスに対応する隣接ノードに対してシグナリング情報の再送を要求し、当該要求に対する応答メッセージに基づいてシグナリング情報を更新することを特徴とする請求項１に記載の通信装置。
【請求項４】
前記第１の制御手段が前記パス設定手段に対してパスの設定指示を行い、当該パス設定手段がパスの設定を行っている最中に障害が発生し、さらに、前記第２の制御手段が当該第１の制御手段から処理を引き継ぐ際にパス設定状態の不一致を検出した場合、
前記第２の制御手段は、不一致のパスに対応する隣接ノードに対してシグナリング情報の再送を要求し、当該要求に対する応答メッセージにシグナリング情報が含まれている場合に、前記パスの設定処理が正常に終了したと判断し、当該シグナリング情報を最新のシグナリング情報として保持することを特徴とする請求項１、２または３に記載の通信装置。
【請求項５】
前記第１の制御手段が前記パス設定手段に対してパスの削除指示を行い、当該パス設定手段がパスの削除を行っている最中に障害が発生し、さらに、前記第２の制御手段が当該第１の制御手段から処理を引き継ぐ際にパス設定状態の不一致を検出した場合、
前記第２の制御手段は、不一致のパスに対応する隣接ノードに対してシグナリング情報の再送を要求し、当該要求に対する応答メッセージにシグナリング情報が含まれていない場合、前記パスの削除処理が正常に終了したと判断し、対応するシグナリング情報を削除することを特徴とする請求項１、２または３に記載の通信装置。
【請求項６】
制御プレーンとデータプレーンが独立したネットワークを構成する通信装置であって、
すべての隣接ノードとの間でデータプレーン上のパス設定を行うパス設定手段と、
各隣接ノードと制御プレーン上で通信を行うことによりシグナリング情報を取得し、当該取得したシグナリング情報に基づいてパスを設定するように前記パス設定手段に対して指示を行う制御手段と、
前記シグナリング情報のコピーを記憶する記憶手段と、
を備え、
前記制御手段は、障害の発生に伴い再起動を実行した場合、前記記憶手段からシグナリング情報を取得し、さらに、前記パス設定手段からパスの設定状態を取得し、当該シグナリング情報により特定される各隣接ノードとの間のパス設定状態と、当該取得した各隣接ノードとの間のパス設定状態と、が一致していない場合、不一致のパスに対応する隣接ノードに対してシグナリング情報の再送を要求し、当該要求に対する応答メッセージに基づいてシグナリング情報を更新することを特徴とする通信装置。
【請求項７】
前記制御手段が再起動を実行し、その後の処理でパス設定状態の不一致を検出し、不一致のパスが複数存在する場合、
前記制御手段は、データプレーンリンク毎に予め設定された優先度順に、前記不一致パスに対応する隣接ノードに対してシグナリング情報の再送を要求し、当該要求に対する応答メッセージに基づいてシグナリング情報を更新することを特徴とする請求項６に記載の通信装置。
【請求項８】
前記制御手段が再起動を実行し、その後の処理でパス設定状態の不一致を検出し、不一致のパスが複数存在する場合、
前記制御手段は、隣接ノード毎に予め設定された優先度順に、前記不一致パスに対応する隣接ノードに対してシグナリング情報の再送を要求し、当該要求に対する応答メッセージに基づいてシグナリング情報を更新することを特徴とする請求項６に記載の通信装置。
【請求項９】
前記制御手段が前記パス設定手段に対してパスの設定指示を行い、当該パス設定手段がパスの設定を行っている最中に発生した障害を解消するために再起動を実行し、さらに、その後の処理でパス設定状態の不一致を検出した場合、
前記制御手段は、不一致のパスに対応する隣接ノードに対してシグナリング情報の再送を要求し、当該要求に対する応答メッセージにシグナリング情報が含まれている場合に、前記パスの設定処理が正常に終了したと判断し、当該シグナリング情報を最新のシグナリング情報として保持することを特徴とする請求項６、７または８に記載の通信装置。
【請求項１０】
前記制御手段が前記パス設定手段に対してパスの削除指示を行い、当該パス設定手段がパスの削除を行っている最中に発生した障害を解消するために再起動を実行し、さらに、その後の処理でパス設定状態の不一致を検出した場合、
前記制御手段は、不一致のパスに対応する隣接ノードに対してシグナリング情報の再送を要求し、当該要求に対する応答メッセージにシグナリング情報が含まれていない場合に、前記パスの削除処理が正常に終了したと判断し、対応するシグナリング情報を削除することを特徴とする請求項６、７または８に記載の通信装置。
【発明の詳細な説明】
【技術分野】
【０００１】
本発明は、ＧＭＰＬＳ（Generalized  Multi  Protocol  Label  Switching）など、制御プレーンとデータプレーンが独立したネットワークを構成する通信装置に関する。
【背景技術】
【０００２】
ＧＭＰＬＳ（Generalized  Multi  Protocol  Label  Switching）は、ＩＰネットワークで用いられる転送技術であるＭＰＬＳの概念を一般化し、光ファイバやＳＤＨなど、様々なネットワークに適用できるよう拡張したプロトコルである。ＧＭＰＬＳ対応のネットワークでは、ネットワーク内のＧＭＰＬＳノード間で制御情報の交換を行う制御プレーンと、ユーザデータを中継するデータプレーンが独立である。また、制御プレーン上のシグナリングプロトコルを用いてデータプレーンのパスの設定・解除のための制御メッセージをＧＭＰＬＳノード間でやり取りすることで、ネットワーク内のデータプレーンの設定を変更する。このため、ＧＭＰＬＳノードでは制御プレーン部とデータプレーン部が独立に構成する技術が提案されている（例えば、下記特許文献１）。また、耐障害性の向上のため、ノードの制御プレーン部が冗長構成をとる技術が提案されている（例えば、下記特許文献２）。
【０００３】
このように、ＧＭＰＬＳノードでは制御プレーン部とデータプレーン部が独立であることから、制御プレーン部のみの再起動等により制御プレーン部で保持している情報を喪失し、同一ノード内で制御プレーン部が保持するシグナリング情報に基づくデータプレーン部の状態と実際のデータプレーン部に設定された状態との間に不整合を生じる可能性がある。このため、ＧＭＰＬＳの制御プレーンでデータプレーンのパスの設定・解除のための通信を行うシグナリングプロトコルでは、障害等の理由によりノードの制御プレーン部が再起動したときデータプレーン部の設定状態を維持している場合に、隣接ノードからのメッセージを再度受信することで制御プレーン上でのシグナリング状態を復元する方法が提案されている（例えば、非特許文献１）。
【０００４】
【特許文献１】特開２００４−１７９８９４号公報
【特許文献２】特表２００４−５２３１３９号公報
【非特許文献１】L.Berger，"Generalized  Multi-Protocol  Label  Switching(GMPLS)  Signaling  Resource  ReserVation  Protocol-Traffic  Engineering(RSVP-TE)  Extensions"（RFC3473），January  2003.
【発明の開示】
【発明が解決しようとする課題】
【０００５】
従来のＧＭＰＬＳにおけるシグナリングプロトコルでは、同一ノード内で制御プレーン部が保持するデータプレーン部の状態と実際のデータプレーンの状態との間に不整合を生じた場合、隣接ノードからのメッセージを再度受信することによりシグナリング状態を復元する。しかしながら、メッセージが再送されるタイミングは隣接ノードに委ねられており、状態の復元を行うノード側から制御できない、すなわち、状態が復元されるまでの時間が長くなる、という問題があった。
【０００６】
また、制御プレーン部で保持する一部の情報のみが欠落し、データプレーン部の状態の一部との間に不整合が発生した場合、欠落していない情報も含めて復元のための手順が発生するため、制御プレーン部のシグナリング状態を復元するために必要な時間が長くなる、という問題があった。
【０００７】
本発明は、上記に鑑みてなされたものであって、制御プレーン部とデータプレーン部が独立した構成をとるネットワーク（たとえばＧＭＰＬＳ対応のネットワーク）において、制御プレーン部で保持しているシグナリング情報が欠落し、制御プレーン部が認識しているデータプレーン部の状態と実際のデータプレーン部の状態との間に不整合が生じた場合に、制御プレーン部のシグナリング状態を迅速に復元し、不整合を解消する通信装置を得ることを目的とする。
【課題を解決するための手段】
【０００８】
上述した課題を解決し、目的を達成するために、本発明は、制御プレーンとデータプレーンが独立したネットワークを構成する通信装置であって、すべての隣接ノードとの間でデータプレーン上のパス設定を行うパス設定手段と、各隣接ノードと制御プレーン上で通信を行うことによりシグナリング情報を取得し、当該取得したシグナリング情報に基づいてパスを設定するように、前記パス設定手段に対して指示を行う第１の制御手段と、前記第１の制御手段と同じ機能を有し、さらに当該第１の制御手段が保持しているシグナリング情報のコピーを保持し、当該第１の制御手段で障害が発生した場合に、当該第１の制御手段から処理を引き継ぐ第２の制御手段と、を備え、前記第２の制御手段は、前記第１の制御手段から処理を引き継ぐ際に、前記パス設定手段からパスの設定状態を取得し、当該取得した各隣接ノードとの間のパス設定状態と、保持しているシグナリング情報により特定される各隣接ノードとの間のパス設定状態と、が一致していない場合、不一致のパスに対応する隣接ノードに対してシグナリング情報の再送を要求し、当該要求に対する応答メッセージに基づいてシグナリング情報を更新することを特徴とする。
【発明の効果】
【０００９】
この発明によれば、制御プレーンが認識しているデータプレーンの設定状態とデータプレーンにおける実際の設定状態との間に不整合が発生した場合、不整合が発生した隣接ノードに対してシグナリングメッセージの再送を要求し、その応答メッセージに基づいてシグナリング情報を正しい内容に更新するので、制御プレーン部のシグナリング状態を迅速に復元できる。すなわち、制御プレーンが認識しているデータプレーンの設定状態と実際のデータプレーンの設定状態との不整合を迅速に解消することができる、という効果を奏する。
【発明を実施するための最良の形態】
【００１０】
以下に、本発明にかかる通信装置の実施の形態を図面に基づいて詳細に説明する。なお、この実施の形態によりこの発明が限定されるものではない。
【００１１】
実施の形態１．
図１は、本発明にかかる通信装置により構成される通信ネットワークシステムの実施の形態１の構成例を示す図である。この通信ネットワークシステムは、ＧＭＰＬＳに対応し、複数のＧＭＰＬＳノード（以下、単に「ノード」と記載する）１〜５および制御プレーンネットワーク１００を含んでいる。ノード１〜５は、それぞれ制御プレーンリンク１０１〜１０５を介して制御プレーンネットワーク１００に接続されている。またノード１と他のノード２〜５が、それぞれデータプレーンリンク１２〜１５により接続されている。
【００１２】
図２は、本発明にかかる通信装置（上記ＧＭＰＬＳノードに相当）の構成例を示す図であり、一例としてノード１の構成を示している。このノード１は、隣接ノードから受信したデータトラフィックをデータプレーンリンク１２〜１５を介して転送するデータ転送部２１と、コントロールプレーンにおける制御用メッセージの処理およびデータ転送部２１の制御を行う第１の制御部２２および第２の制御部２３と、を含む。データ転送部２１と第１の制御部２２および第２の制御部２３は、それぞれ内部リンク２４および２５により接続されている。これらの内部リンクを介して、第１の制御部２２および第２の制御部２３はデータ転送部２１の設定・状態の読み出しを行う。第１の制御部２２と第２の制御部２３は冗長構成を取っており、一方が現用系として、もう一方が待機系として動作する。また、第１の制御部２２と第２の制御部２３は内部リンク２６により接続され、現用系の制御部と待機系の制御部との間でデータ同期を行うと共に、現用系の制御部の障害発生時等には待機系の制御部が新たな現用系として動作し処理を続行する。
【００１３】
なお、図２に示した２０１および２０２は、データ転送部２１により中継されるデータトラフィックを伝送するためのデータプレーンリンクであり、また２０３および２０４は、それぞれ第１の制御部２２および第２の制御部２３で処理される、隣接ノードからの制御用データを伝送するための制御プレーンリンクである。また、ノード２〜５も図２に示したノード１と同様の構成をとる。
【００１４】
つづいて、本発明にかかる通信装置の動作について説明する。ここでは、一例としてノード１の動作について説明する。ノード１では、第１の制御部２２が現用系制御部として動作しているものとする。この場合、第１の制御部２２は、シグナリングプロトコルにより制御プレーンリンク２０３（図１に示した制御プレーンリンク１０１に相当）を介して各隣接ノードとの間でデータプレーンのパスの設定・解除のための制御メッセージをやり取りする。そして、制御メッセージをやり取りして得られた各シグナリング情報に基づいて、データトラフィックを中継するデータ転送部２１の設定（隣接ノードとの間のパス設定）を行う。具体的には、各隣接ノードとの間のデータプレーン上のパスを取得した各シグナリング情報に従い設定するように、パス設定手段に相当するデータ転送部２１に対して指示を行う。またこのとき、第２の制御部２３は、待機系制御部として動作し、現用系制御部として動作している第１の制御部２２の設定情報やシグナリング情報を内部リンク２６経由で取得することによりデータ同期を行う。
【００１５】
上記のような状態で、ノード２からノード１を経由しノード３に到達するデータプレーン上のパスの設定中に、ノード１の第１の制御部２２に障害が発生し第２の制御部２３が新たに現用系の制御部となった場合を考える。新たに現用系の制御部となった第２の制御部２３は、内部リンク２５を介して、データ転送部２１から現在のデータプレーンでのデータトラフィック中継のための設定状態を読み出す。また、第２の制御部２３は、第１の制御部２２より予め取得（コピー）しておいたシグナリング情報群からデータプレーン部のパス設定状態（データトラフィック中継のための設定状態）を特定する。その結果、シグナリング情報群により特定されたデータプレーン部の状態ではノード２とノード３の間にノード１を介してパスが設定されておらず、一方データ転送部２１から読み出したデータプレーン部の状態ではノード２とノード３の間にノード１を介してパスが設定されているなど、両者の間に不整合を検出した場合には、図３に示した手順を実行することにより制御プレーンの状態（シグナリング状態）を復元する。
【００１６】
具体的には、ノード１の第１の制御部２２がデータ転送部２１に対してノード２からノード３に到達するパスの設定指示を行い、これに応じてデータ転送部２１がパスを設定している最中に障害が発生した場合、第１の制御部２２に代わって現用系となった第２の制御部２３は、まず、第１の制御部２２からコピーしておいたシグナリング情報群により特定されるデータプレーン部のパス設定状態とデータ転送部２１から読み出したデータプレーン部のパス設定状態との間に不整合があった隣接ノード（パスの設定状態が一致していない隣接ノード）を特定する（ステップＳ１１）。ここでは、ノード２およびノード３が特定されるものとする。つぎに、特定した各隣接ノードに対して、隣接ノードとの間のデータプレーンリンクのラベルまたはインタフェースの情報を含めた再送信要求メッセージを送信する。すなわち、データプレーンリンク１２のラベルまたはインタフェースの情報を含めた再送信要求メッセージをノード２に対して送信し（ステップＳ１２）、さらに、データプレーンリンク１３のラベルまたはインタフェースの情報を含めた再送信要求メッセージをノード３に対して送信する（ステップＳ１３）。
【００１７】
ノード１から送信された各再送信要求メッセージは、制御用ネットワーク１００により中継され、ノード２の現用系制御部およびノード３の現用系制御部は、それぞれ制御用リンク１０２，１０３を介してノード１からの再送信要求メッセージを受信する。ノード２およびノード３の現用系制御部は、受信した再送信要求メッセージ内の情報（ラベルまたはインタフェースの情報）に対応するシグナリング情報を検索し、再送するシグナリング情報を特定する（ステップＳ１４，Ｓ１５）。つぎに、ノード２およびノード３の現用系制御部は、特定したシグナリング情報を送信するためのシグナリングメッセージ（状態更新メッセージ）をノード１に対してそれぞれ再送する（ステップＳ１６，Ｓ１７）。
【００１８】
ノード２およびノード３が再送したシグナリングメッセージは、それぞれ制御用ネットワーク１００により中継され、ノード１の第２の制御部２３により受信される。そして、ノード１の第２の制御部２３は、ノード２およびノード３から受信したシグナリングメッセージに含まれるシグナリング情報をそれぞれノード２およびノード３に関する最新のシグナリング情報として保持し、制御プレーン部のシグナリング状態を復元する（ステップＳ１８）。この結果、データプレーンでのデータトラフィック中継のための設定状態との不整合が解消される。
【００１９】
制御プレーンネットワーク１００を介して行う隣接ノードとの間の再送信要求メッセージのやり取り等では、例えばＲＳＶＰ（Resource  reservation  Protocol）等のシグナリグプロトコルや、ＬＭＰ（Link  Management  Protocol）等のリンク管理プロトコルを拡張したものを使用する。
【００２０】
なお、上記動作例においては、隣接ノード２およびノード３に対して再送信要求を送信してからノード２およびノード３から応答メッセージ（再送されたシグナリングメッセージ）を受信する場合について説明しているが、ノード３へ再送信要求を送信するタイミングとノード２から応答メッセージを受信するタイミングが入れ替わってもよい。
【００２１】
このように、本実施の形態では、制御プレーンが認識しているデータプレーンの設定状態とデータプレーンにおける実際の設定状態との間に不整合が発生した場合、不整合が発生した隣接ノードに対してシグナリングメッセージの再送を要求し、その応答メッセージに基づいて、保持しているシグナリング情報を正しい内容に更新することとした。これにより、制御プレーン部のシグナリング状態を迅速に復元できる。すなわち、制御プレーンが認識しているデータプレーンの設定状態と実際のデータプレーンの設定状態との不整合を迅速に解消することができる。
【００２２】
なお、本実施の形態では、制御部が冗長構成を取っている通信装置について説明を行ったが、図４に示すような装置構成としてもよい。すなわち、制御部を冗長構成とする代わりに制御部３１および記憶部３２を備えた構成とし、記憶部３２に制御部３１の設定情報やシグナリング情報を格納しておく。そして、制御部３１の再起動時に記憶部３２から情報を読み出し、読み出した情報を用いて特定したデータプレーンの設定状態と実際のデータプレーンにおける設定状態が一致しない場合、上述したシグナリング状態の復元処理（図３参照）を実行するようにしてもよい。
【００２３】
実施の形態２．
つづいて、実施の形態２の通信装置について説明する。本実施の形態のネットワークシステムの構成および通信装置の構成は、上述した実施の形態１と同様であり、通信装置が実行する制御動作のみが異なる。そのため、本実施の形態では、実施の形態１で示した制御動作と異なる部分について説明する。
【００２４】
ここでは、一例としてノード１の動作について説明する。ノード１では、第１の制御部２２が現用系制御部として動作しているものとする。この場合、第１の制御部２２は、シグナリングプロトコルにより制御プレーンリンク２０３（図１に示した制御プレーンリンク１０１に相当）を介して各隣接ノードとの間でデータプレーンのパスの設定・解除のための制御メッセージをやり取りする。そして、制御メッセージをやり取りして得られた各シグナリング情報に基づいて、データトラフィックを中継するデータ転送部２１の設定を行う。具体的には、各隣接ノードとの間のデータプレーン上のパスを取得した各シグナリング情報に従い設定するように、データ転送部２１に対して指示を行う。またこのとき、第２の制御部２３は、待機系制御部として動作し、現用系制御部として動作している第１の制御部２２の設定情報やシグナリング情報を内部リンク２６経由で取得することによりデータ同期を行う。なお、ノード２からノード１を経由しノード３に到達するデータプレーン上のパスが既に設定されているものとする。
【００２５】
上記のような状態で、ノード２からノード１を経由しノード３に到達するデータプレーン上のパスの削除中に、ノード１の第１の制御部２２に障害が発生し第２の制御部２３が新たに現用系の制御部となった場合を考える。新たに現用系の制御部となった第２の制御部２３は、内部リンク２５を介して、データ転送部２１から現在のデータプレーンでのデータトラフィック中継のための設定状態を読み出す。また、第２の制御部２３は、第１の制御部２２より予めコピー（取得）しておいたシグナリング情報群からデータプレーン部のパス設定状態を特定する。その結果、シグナリング情報群により特定されたデータプレーン部の状態ではノード２とノード３の間にノード１を介してパスが設定されており、一方データ転送部２１から読み出したデータプレーン部の状態ではノード２とノード３の間にノード１を介してパスが設定されていないなど、両者の間に不整合を検出した場合には、図５に示す手順を実行することにより制御プレーンの状態（シグナリング状態）を復元する。
【００２６】
具体的には、ノード１の第１の制御部２２がデータ転送部２１に対してノード２からノード３に到達するパスの削除指示を行い、これに応じてデータ転送部２１がパスを削除している最中に障害が発生した場合、第１の制御部２２に代わって現用系となった第２の制御部２３は、まず、第１の制御部２２からコピーしておいたシグナリング情報群により特定されるデータプレーン部の状態とデータ転送部２１から読み出したデータプレーン部の状態との間に不整合があった隣接ノードを特定し、さらに、特定した隣接ノードに対して再送信要求メッセージを送信する（ステップＳ１１，Ｓ１２，Ｓ１３）。
【００２７】
制御用ネットワーク１００経由でノード１から送信された各再送信要求メッセージを受信したノード２の現用系制御部およびノード３の現用系制御部は、該当するシグナリング情報の検索・特定処理を実行する（ステップＳ１４，Ｓ１５）。そして、ここでは、該当するシグナリング情報が存在しないため、その旨を示すＮＧ応答（否定応答メッセージ）がノード２の現用系制御部およびノード３の現用系制御部から返送される（ステップＳ２６，Ｓ２７）。
【００２８】
ノード２およびノード３が送信した否定応答メッセージは、それぞれ制御用ネットワーク１００により中継され、ノード１の第２の制御部２３により受信される。そして、ノード１の第２の制御部２３は、否定応答メッセージを受信することにより不整合を検出したノード１を介したノード２とノード３の間のパスが削除済みであると判断し、対応するシグナリング情報を削除する。これにより制御プレーン部のシグナリング状態を復元し、制御プレーンでのシグナリング情報郡を用いて特定されるデータプレーンの設定状態とデータプレーンでの実際の設定状態との不整合を解消する（ステップＳ２８）。
【００２９】
制御プレーンネットワーク１００を介して行う隣接ノードとの間の再送信要求メッセージ等のやり取りでは、例えばＲＳＶＰ等のシグナリグプロトコルやＬＭＰ等のリンク管理プロトコルを拡張したものを使用する。
【００３０】
なお、上記動作例においては、隣接ノード２およびノード３に対して再送信要求を送信してからノード２およびノード３から応答メッセージ（否定応答メッセージ）を受信する場合について説明しているが、ノード３へ再送信要求を送信するタイミングとノード２から応答メッセージを受信するタイミングが入れ替わってもよい。
【００３１】
このように、本実施の形態では、データプレーン上のパスの削除処理を実行中に発生した障害の影響により、制御プレーンが認識しているデータプレーンの設定状態と実際のデータプレーンにおける設定状態との間に不整合が発生した場合、不整合が発生した隣接ノードに対してシグナリングメッセージの再送を要求し、その応答メッセージに基づいて上記データプレーン上のパスの削除処理の結果をシグナリング情報へ反映させることとした。これにより、制御プレーン部のシグナリング状態を迅速に復元できる。すなわち、制御プレーンが認識しているデータプレーンの設定状態と実際のデータプレーンの設定状態との不整合を迅速に解消することができる。
【００３２】
なお、本実施の形態では、制御部が冗長構成を取っている通信装置について説明を行ったが、実施の形態１と同様に、図４に示すような装置構成とし、制御部３１の再起動時に記憶部３２から情報を読み出し、読み出した情報により特定（認識）したデータプレーンの設定状態と実際のデータプレーンにおける設定状態が一致しない場合、上述したシグナリング状態の復元処理（図５参照）を実行するようにしてもよい。
【００３３】
実施の形態３．
つづいて、実施の形態３の通信装置について説明する。本実施の形態のネットワークシステムの構成および通信装置の構成は、上述した実施の形態１と同様である。以下、実施の形態３の通信装置の動作について説明する。
【００３４】
ここでは、一例としてノード１の動作について説明する。ノード１では、第１の制御部２２が現用系制御部として動作しているものとする。この場合、第１の制御部２２は、シグナリングプロトコルにより制御プレーンリンク２０３（図１に示した制御プレーンリンク１０１に相当）を介して各隣接ノードとの間でデータプレーンのパスの設定・解除のための制御メッセージをやり取りする。そして、制御メッセージをやり取りして得られた各シグナリング情報に基づいて、データトラフィックを中継するデータ転送部２１の設定を行う。具体的には、各隣接ノードとの間のデータプレーン上のパスを取得した各シグナリング情報に従い設定するように、データ転送部２１に対して指示を行う。またこのとき、第２の制御部２３は、待機系制御部として動作し、現用系制御部として動作している第１の制御部２２の設定情報やシグナリング情報を内部リンク２６経由で取得することによりデータ同期を行う。
【００３５】
上記のような状態で、ノード１の第１の制御部２２に障害が発生し第２の制御部２３が新たに現用系の制御部となった場合を考える。新たに現用系の制御部となった第２の制御部２３は、内部リンク２５を介して、データ転送部２１から現在のデータプレーンでのデータトラフィック中継のための設定状態を読み出す。また、第２の制御部２３は、第１の制御部２２より予めコピー（取得）しておいたシグナリング情報群からデータプレーン部のパス設定状態（データトラフィック中継のための設定状態）を特定する。その結果、シグナリング情報群により特定されたデータプレーン部の状態ではノード２とノード３の間およびノード４とノード５の間にノード１を介してパスが設定されておらず、一方データ転送部２１から読み出したデータプレーン部の状態ではノード２とノード３の間およびノード４とノード５の間にノード１を介してパスが設定されているなど、両者の間に不整合を検出した場合には、実施の形態１と同様に、上述した図３に示した手順を実行することにより制御プレーンの状態（シグナリング状態）を復元する。
【００３６】
このとき、データプレーンリンク１２〜１５に対してそれぞれ優先度を予め設定しておき、不整合を検出したデータプレーンリンクに対応する再送信要求メッセージを優先度が高い順に送信する。具体的には、まず、最も優先度が高いデータプレーンリンクに対応した隣接ノードへ再送信要求を送信する。つぎに、２番目に優先度が高いデータプレーンリンクに対応した隣接ノードへ再送信要求を送信する。同様に、対応するデータプレーンリンクの優先度に従い、残りの隣接ノードへ再送信要求を順次送信し、再送信要求に対する応答メッセージに基づいて各シグナリング情報を復元する。これによりノード１の制御部（この例では第２の制御部２３）における各シグナリング情報の復元の順序を制御する。
【００３７】
このように、本実施の形態では、制御プレーンが認識しているデータプレーンの設定状態と実際のデータプレーンにおける設定状態との間に複数の不整合が発生した場合、データプレーンリンクに予め設定された優先度に従い制御プレーン部のシグナリング状態を復元するための処理を実行することとした。これにより、制御プレーンが認識しているデータプレーンの設定状態と実際のデータプレーンの設定状態との不整合が複数ある場合、不整合解消の順序を制御することができる。
【００３８】
なお、本実施の形態では、優先度をデータプレーンリンクに対して設定したが、隣接ノード単位に優先度を設定してもよい。さらに、このとき同一の隣接ノードに対する複数の再送信要求メッセージの情報を１つの再送信要求メッセージに格納し送信してもよい。これにより、対象となる隣接ノード単位に制御プレーンにおけるシグナリング情報とデータプレーンにおける設定状態との不整合解消の順序制御が実現可能となる。
【００３９】
また、本実施の形態では、制御部が冗長構成を取っている通信装置について説明を行ったが、実施の形態１と同様に、図４に示すような装置構成としてもよい。
【産業上の利用可能性】
【００４０】
以上のように、本発明にかかる通信装置は、自身宛ではない受信メッセージをＧＭＰＬＳにより転送するノード装置に有用であり、特に、ネットワークの制御プレーンとデータプレーンが独立している場合に適している。
【図面の簡単な説明】
【００４１】
【図１】本発明にかかる通信装置により構成される通信ネットワークシステムの実施の形態１の構成例を示す図である。
【図２】本発明にかかる通信装置の構成例を示す図である。
【図３】実施の形態１におけるシグナリング状態の復元処理の一例を示すシーケンス図である。
【図４】本発明にかかる通信装置の構成例を示す図である。
【図５】実施の形態１におけるシグナリング状態の復元処理の一例を示すシーケンス図である。
【符号の説明】
【００４２】
１〜５  ＧＭＰＬＳノード（ノード）
１２〜１５、２０１、２０２  データプレーンリンク
２１  データ転送部
２２  第１の制御部
２３  第２の制御部
２４、２５、２６  内部リンク
３１  制御部
３２  記憶部
１００  制御プレーンネットワーク
１０１〜１０５、２０３、２０４  制御プレーンリンク
【図１】
2008278250.tif 000003
【図２】
2008278250.tif 000004
【図３】
2008278250.tif 000005
【図４】
2008278250.tif 000006
【図５】
2008278250.tif 000007